(57)【要約】      （修正有）【課題】ポストに投函・配達された物を遠隔地で半リアルタイムに画像で確認でき、又、遠隔地から通知先を一括で管理する郵便ポストと投函通知システムを提供する。【解決手段】郵便物や配達物の投函を検知して内部の投函状況を撮影し、通信ネットワークを介して撮影画像データを投函通知システムに送信する郵便ポスト１０１と、複数のポスト、複数のプッシュ通知先、複数のメールの配信先を一括管理、事前登録したプッシュ通知先にプッシュ通知、事前登録したメール配信先にポスト内の画像ファイル付きメールを送信する投函通知システム３１１を備える。【選択図】図１
2017080362.tif 000002
【特許請求の範囲】
【請求項１】
ポスト（集合ポストを含む）の投函口センサ、及び取出口センサでポストへの投函、取り出しを検知しポスト内のカメラで撮影、通信ネットワークを介して撮影画像を送信するポストと、通信ネットワークを介して複数のプッシュ通知先、複数のメール配信先の管理、受信した撮影画像を事前登録された通信機器にプッシュ通知、並びに事前登録されたメールアドレス宛に画像を添付した電子メールを送信する機能を備えるシステム。
【請求項２】
私書箱の投函口センサ、及び取出口センサでポストへの投函、取り出しを検知し私書箱内のカメラで撮影、通信ネットワークを介して撮影画像を送信する私書箱と、通信ネットワークを介して複数のプッシュ通知先、複数のメール配信先の管理、受信した撮影画像を事前登録された通信機器にプッシュ通知、並びに事前登録されたメールアドレス宛に画像を添付した電子メールを送信する機能を備えるシステム。
【請求項３】
宅配ボックスに配達物が入れられたことをセンサで検知しボックス内のカメラで撮影、通信ネットワークを介して撮影画像を送信する宅配ボックスと、通信ネットワークを介して複数のプッシュ通知先、複数のメール配信先の管理、受信した撮影画像を事前登録された通信機器にプッシュ通知、並びに事前登録されたメールアドレス宛に画像を添付した電子メールを送信する機能を備えるシステム。
【発明の詳細な説明】
【技術分野】
【０００１】  本発明は、郵便物や配達物の投函を検知して内部の投函状況を撮影し、通信ネットワークを介して撮影画像データを投函通知システムに送信する郵便ポスト（集合郵便ポスト、私書箱、宅配ボックスを含む）と、複数のポスト、複数のプッシュ通知先、複数の配信先メールアドレスを一元管理する機能を持ち、郵便ポストから送信された撮影画像データを受信して事前登録されたプッシュ通信先に通知、並びに事前登録された電子メールアドレス宛に画像添付メールを送信する機能をもつ投函通知システムに関する。
【背景技術】
【０００２】  郵便ポストにどんな郵便物が投函されたのかを知る為には直接ポストを確認する必要がある。
【先行技術文献】
【０００３】
【特許文献１】特開２０００−２５５６８７
【特許文献２】特開２００２−０１７５５４
【特許文献３】特開２０１０−７５５６３
【０００４】
【非特許文献１】  “インテリアハック  ポストに郵便物が届いたらスマホに通知してくれるアプリ”、［オンライン］、［平成２７年１０月２５日検索］インターネット＜ＵＲＬ：ｈｔｔｐ：／／ｗｗｗ．ｉｎｔｅｒｉｏｒｈａｃｋｓ．ｃｏｍ／ａｒｃｈｉｖｅｓ／９５３５＞
【非特許文献２】  “ＧＩＺＭＯＤＥ  ユー・ガット・メール！  手紙や荷物がきたらスマホに通知してくれるスマート郵便受け”、［オンライン］、［平成２７年１０月２５日検索］、インターネット＜ＵＲＬ：ｈｔｔｐ：／／ｗｗｗ．ｇｉｚｍｏｄｏ．ｊｐ／２０１４／０１／ｐｏｓｔ＿１３８６７．ｈｔｍｌ＞
【非特許文献３】  “Ｎａｔｕｒａｌ  Ｄａｙｓ  ポスト君”、［オンライン］、［平成２７年１０月２５日検索］、インターネット＜ＵＲＬ：ｈｔｔｐ：／／ｗｗｗ．ｈｉｒｏｔａｋａｓｔｅｒ．ｃｏｍ／ｗｅｂｌｏｇ／ポスト君／＞
【非特許文献４】  “ＩＴｍｅｄｉａ  サンコー、郵便物が届くとお知らせする「ポストの見張り番」”、［オンライン］、［平成２７年１０月２５日検索］、インターネット＜ＵＲＬ：ｈｔｔｐ：／／ｗｗｗ．ｉｔｍｅｄｉａ．ｃｏ．ｊｐ／ｐｃｕｓｅｒ／ａｒｔｉｃｌｅｓ／１００１／１８／ｎｅｗｓ１０５．ｈｔｍｌ＞
【発明の概要】
【発明が解決しようとする課題】
【０００５】  以上の技術によると、スキャナーでの読み取りは不在通知書に限定され、スマートフォンアプリであれば通知先はアプリに限定、近距離無線であれば近距離でのみポストへの投函を確認することができ、ポスト内の状況を遠隔地で確認する事はできない。また、遠隔地から複数のプッシュ通知先やメール配信先の指定や解除を一括して管理する事もできない。そこで、この発明は、不在通知に限らずどんな物が投函・配達されたのかを遠隔地で半リアルタイムに画像（具体的かつ詳細な投函・配達内容を必要としない）で確認できるようにし、また、遠隔地から通知先を一元管理できるようにすることを課題とする。
【課題を解決するための手段】
【０００６】以上の課題を解決するために、郵便物や配達物の投函を検知して内部の投函状況を撮影し、通信ネットワークを介して撮影画像データを投函通知システムに送信する郵便ポストと、複数のポスト、複数のプッシュ通知先、複数のメールの配信先を一元管理、事前登録したプッシュ通知先にプッシュ通知、事前登録したメール配信先にポスト内の画像ファイル付きメールを送信する投函通知システムを提供する事で課題を解決する。
【発明の効果】
【０００７】  ＰＣやスマートフォン等の通信機器のみでセキュアに通知先を一元管理でき、プッシュ通知やメールをもとにどんな物が投函されたのかを半リアルタイムで確認する事ができるという利点がある。
【図面の簡単な説明】
【０００８】
【図１】郵便ポストと投函通知システムのサービス実施方法を示した説明図である。
【発明を実施するための形態】
【０００９】  以下、図面を参照しながら、最良の実施形態を詳細に説明する。
まず、電子メールやプッシュ通知を受ける為に、ＰＣ・スマートフォン等通信機器４０１で通信ネットワーク２０１を通して、クラウド３１０上の投函通知システム３１１にアクセスし、システムにログインする際に必要となるユーザ情報３１２の登録、利用するポストのポスト固有識別情報３１３、プッシュ通知先情報３１４、配信先電子メールアドレス情報３１５の登録を行う。
【００１０】  ポスト１０１に、郵便物（宅配物）が投函されると投函口センサ１０２が検知、ポスト側制御部１０６が照明１０４、カメラ１０５（照明１０４とカメラ１０５については、フラッシュ機能付きカメラ等一体型と分離型とを問わず）をコントロールし撮影、撮影した画像データをポスト固有識別情報１０８と一緒に送信先サーバ情報１０７を元に通信ネットワーク２０１を通して、クラウド３１０上の投函通知システム３１１に送信する。
【００１１】  プッシュ通知の場合は、画像データと一緒に送信されたポスト固有識別情報と投函通知システム３１１上のポスト固有識別情報３１３と一致する情報を参照、その情報に紐づくプッシュ通知先情報３１４に該当するＰＣ・スマートフォン等通信機器４０１宛に、プッシュ通知サーバ３２１、通信ネットワーク２０１を通して通知を行う。
【００１２】  電子メールの場合は、画像データと一緒に送信されたポスト固有識別情報と投函通知システム３１１上のポスト固有識別情報３１３と一致する情報を参照、その情報に紐づくメールアドレス情報３１４に該当するメールアドレス宛に電子メールサーバ３３１、通信ネットワーク２０１を通し電子メールを送信、ＰＣ・スマートフォン等通信機器４０１での電子メール受信をもって通知とする。
【００１３】  ポストの投函口と、ポストの取出口が異なる場合はポスト取出口センサ１０３が郵便物（宅配物）の取り出しを検知し、ポスト側制御部１０６が照明１０４、カメラ１０５（照明１０４とカメラ１０５は一体型、分離型を問わず）をコントロールし撮影、撮影した画像をポスト固有識別情報１０８と一緒に送信先サーバ情報１０７を元にインターネット回線２０１を通して、クラウド上のシステム３１１に送信する。以降のプッシュ通知、電子メールの配信はポストへの投函を検知した場合と同様である。
【００１４】「実施形態の効果」
この実施形態によれば、ポストは画像データとポスト固有識別符号を送信するのみで、クラウド上のシステムで複数のポスト、複数のプッシュ通知先や配信先メールアドレスを一元管理する事ができる。
「他の実施形態」
一般的な郵便ポストに限らず、投函をセンサで検知し内蔵のカメラで撮影、プッシュ通知や、画像を添付した電子メールで通知できればよく、集合ポスト、私書箱、宅配ボックスでも同様である。
【符号の説明】
【００１５】１０１  郵便ポスト（宅配ボックス）
１０２  投函口センサ
１０３  取出口センサ
１０４  照明
１０５  カメラ
１０６  ポスト制御部
１０７  送信先サーバ情報
１０８  ポスト側ポスト固有識別情報
２０１  通信ネットワーク
３０１  クラウド
３１１  投函通知システム
３１２  ログイン認証ユーザ情報
３１３  クラウド側ポスト固有識別情報
３１４  プッシュ通知先情報
３１５  メールアドレス情報
３２１  プッシュ通知サーバ
３３１  電子メールサーバ
４０１  ＰＣ・スマートフォン等通信機器
【図１】
2017080362.tif 000003
【手続補正書】
【提出日】平成29年1月4日(2017.1.4)
【手続補正１】
【補正対象書類名】特許請求の範囲
【補正対象項目名】請求項１
【補正方法】変更
【補正の内容】
【請求項１】
ポスト（集合ポストを含む）の投函口センサ、及び取出口センサでポストへの投函、取り出しを検知しポスト内のカメラで撮影、通信ネットワークを介してポスト個々に事前登録された固有識別番号（識別子）と撮影画像をクラウド上のシステムに送信する（クラッキングされ迷惑メール送信元となる事を防ぐためポスト自体や、ポストと同じネットワーク内のメールサーバを経由してメールの送信を行う機能をあえて持たない）ことを特徴とするポストと、通信ネットワークを介してポスト固有識別番号（識別子）をもとに複数のポスト、複数のプッシュ通知先、複数のメール配信先の管理と、ポストから受信した撮影画像とポスト固有識別番号（識別子）の組み合わせをもとに事前登録された通信機器にプッシュ通知、並びに事前登録されたメールアドレス宛に画像を添付した電子メールを送信する機能を備えることを特徴とするクラウド上のシステムで構成されたシステム。
【手続補正２】
【補正対象書類名】特許請求の範囲
【補正対象項目名】請求項２
【補正方法】変更
【補正の内容】
【請求項２】
私書箱の投函口センサ、及び取出口センサでポストへの投函、取り出しを検知しポスト内のカメラで撮影、通信ネットワークを介して私書箱個々に事前登録された固有識別番号（識別子）と撮影画像をクラウド上のシステムに送信する（クラッキングされ迷惑メール送信元となる事を防ぐため私書箱自体や、私書箱と同じネットワーク内のメールサーバを経由してメールの送信を行う機能をあえて持たない）ことを特徴とする私書箱と、通信ネットワークを介して私書箱固有識別番号（識別子）をもとに複数の私書箱、複数のプッシュ通知先、複数のメール配信先の管理と、私書箱から受信した撮影画像とポスト固有識別番号（識別子）の組み合わせをもとに事前登録された通信機器にプッシュ通知、並びに事前登録されたメールアドレス宛に画像を添付した電子メールを送信する機能を備えることを特徴とするクラウド上のシステムで構成されたシステム。
【手続補正３】
【補正対象書類名】特許請求の範囲
【補正対象項目名】請求項３
【補正方法】変更
【補正の内容】
【請求項３】
宅配ボックスに配達物が入れられたことをセンサで検知しボックス内のカメラで撮影、通信ネットワークを介して宅配ボックス個々に事前登録された固有識別番号（識別子）と撮影画像をクラウド上のシステムに送信する（クラッキングされ迷惑メール送信元となる事を防ぐため宅配ボックス自体や、同じネットワーク内のメールサーバを経由してメールの送信を行う機能をあえて持たない）ことを特徴とする宅配ボックスと、通信ネットワークを介して宅配ボックス固有識別番号（識別子）をもとに複数の宅配ボックス、複数のプッシュ通知先、複数のメール配信先の管理と、宅配ボックスから受信した撮影画像とポスト固有識別番号（識別子）の組み合わせをもとに事前登録された通信機器にプッシュ通知、並びに事前登録されたメールアドレス宛に画像を添付した電子メールを送信する機能を備えることを特徴とするクラウド上のシステムで構成されたシステム。